(57)【特許請求の範囲】
【請求項１】
長手方向に沿って適宜な間隔でかつ幅方向に延伸された複数のスリットと、長手方向に沿って設けられた複数の屈曲部との変形によりワイヤハーネスを挿通する挿通開口部が形成されるワイヤハーネス用プロテクタであって、
平板状のプロテクタ本体には前記スリットにより複数の矩形板状のハーネス用の保持板が形成され、該保持板の両側端部近傍と中心軸上に沿って互いに逆方向に屈曲される両側屈曲部と中央屈曲部とが設けられ、隣列された前記保持板に設けられた前記両側屈曲部および前記中央屈曲部の屈曲方向が隣の前記保持板と逆方向に交互に屈曲するように設定されていることを特徴とするワイヤハーネス用プロテクタ。
【請求項２】
前記プロテクタ本体の端部に取付けブラケットが設けられていることを特徴とする請求項１記載のワイヤハーネス用プロテクタ。
【請求項３】
前記プロテクタ本体に取り付け用のクリップが具備されていることを特徴とする請求項１記載のワイヤハーネス用プロテクタ。
【請求項４】
前記保持板に接着シートが設けられていることを特徴とする請求項１記載のワイヤハーネス用プロテクタ。
【発明の詳細な説明】
【０００１】
【発明の属する技術分野】
本発明は、自動車の電気系統の接続に使用されるワイヤハーネス等の線条体を収納して車体や機器等に取り付け、その線条体の配設姿勢を整えて保持するワイヤハーネス用プロテクタに関する。
【０００２】
【従来の技術】
従来から自動車の電気系統の接続に使用されるワイヤハーネスの所定長さを収容して車体等に取り付けることで、ワイヤハーネスの保護と固定を行うワイヤハーネス用プロテクタに関しては、例えば、特開平７−２１２９３６号公報に開示されたものが知られている。
【０００３】
図９に示したように従来のワイヤハーネス用プロテクタ５１は、例えば合成樹脂等の弾性体から成るプロテクタ本体５２の長手方向に沿って適宜な間隔でかつ幅方向に延伸された２本のスリット５３を備えている。また、長手方向に沿って設けられた両側屈曲部５４と中央屈曲部５５からなる複数の屈曲部を備え、この屈曲部の変形によりワイヤハーネスＷを挿通する挿通開口部５６が形成される。
また、底板５７の両側には長手方向に側板５８が垂直に立設され、さらに側板５８の上端には複数の押さえ片５９が内側に向いて直角に設けられている。
【０００４】
さらに詳しくは、底板５７のスリット５３間に挟まれて副底板部６１が形成され、この副底板部６１の両端の側板５８との接辺には下面に凹溝５４ａ（図１０参照）を有する上記両側屈曲部５４が設けられている。また、残る底板は主底板部６０となり、中心には下部に凹溝５５ａを有する中央屈曲部５５が設けられている。
【０００５】
上記構成のワイヤハーネス用プロテクタ５１においては、図１０に示したように先ず主底板部６０の両側を中央屈曲部５５をヒンジとして下方へ折り曲げると、副底板部６１は両側屈曲部５４をヒンジとして下方へ湾曲する。そして、主底板部６０は凹溝５５ａの幅により直角以上に曲がらないようになっており、副底板６１の弾性によってワイヤハーネス用プロテクタ５１は所定形状に保たれる。
【０００６】
すると、図１１右図のように両側の押さえ板５９の間隔が開いて挿通開口部５６が出現するのでワイヤハーネスＷをＵ字状になった主底板部６０、側板５８、押さえ片５９の中に容易に挿通することができる。そして、屈曲された主底板部６０を平らに戻せば副底板部６１も平らに戻り、図９および図１１左図に示す形状になるからワイヤハーネスＷはワイヤハーネス用プロテクタ５１に覆われた状態になる。
【０００７】
【発明が解決しようとする課題】
しかしながら、上記従来のワイヤハーネス用プロテクタ５１においては、図１０のような開放状態を保つ必要があるので、中央屈曲部５５および両側屈曲部５４の凹溝５４ａ、５５ａを深くして完全なヒンジ構造を形成しているため、プロテクタ本体の剛性が弱い上に、両側屈曲部５４には副底板部６１の弾性に伴う引張力がかかるのでヒンジ切れの可能性があり、信頼性の面で問題があった。
【０００８】
また、ワイヤハーネスＷの直線部には使用できるが、曲折部には使用することができず、用途面で限定されるという問題があった。
また、製造上複雑な金型になるので専用の設備が必要になる上、かさばる形状なので保管時や運搬時にスペースを食うという問題があった。
さらに、ワイヤハーネスＷの容量が少ないときはデッドスペースが多くなるので、種々な大きさのものを揃える必要があり、種類が多くなるのに伴い部品管理が煩雑になると共に、コストアップにつながるという問題があった。
【０００９】
本発明の課題は、上記問題点に鑑みてなされたものであり、剛性がありワイヤハーネスの曲折部にも使用可能であり、製造と保管および運搬が容易であり、信頼性が高く、汎用性があり、さらに低原価なワイヤハーネス用プロテクタを提供することである。
【００１０】
【課題を解決するための手段】
本発明の上記課題は、以下の１）〜４）項によって解決することができる。
１）長手方向に沿って適宜な間隔でかつ幅方向に延伸された複数のスリットと、長手方向に沿って設けられた複数の屈曲部との変形によりワイヤハーネスを挿通する挿通開口部が形成されるワイヤハーネス用プロテクタであって、
平板状のプロテクタ本体には前記スリットにより複数の矩形板状のハーネス用の保持板が形成され、該保持板の両側端部近傍と中心軸上に沿って互いに逆方向に屈曲される両側屈曲部と中央屈曲部とが設けられ、隣列された前記保持板に設けられた前記両側屈曲部および前記中央屈曲部の屈曲方向が隣の前記保持板と逆方向に交互に屈曲するように設定されていることを特徴とするワイヤハーネス用プロテクタ。
【００１１】
２）前記プロテクタ本体の端部に取付けブラケットが設けられていることを特徴とする前記１）記載のワイヤハーネス用プロテクタ。
３）前記プロテクタ本体に取り付け用のクリップが具備されていることを特徴とする前記１）記載のワイヤハーネス用プロテクタ。
４）前記保持板に接着シートが設けられていることを特徴とする前記１）記載のワイヤハーネス用プロテクタ。
【００１２】
上記構成のワイヤハーネス用プロテクタによれば、平板状のプロテクタ本体には前記スリットにより複数の矩形板状のハーネス用の保持板が形成されているので、製造が容易であると共に保管時や運搬時に積み重ねができるので取扱性とコスト低減を図ることができる。
また、保持板の両側端部近傍と中心軸上に沿って互いに逆方向に屈曲される両側屈曲部と中央屈曲部とが設けられ、隣列された保持板に設けられた両側屈曲部および中央屈曲部の屈曲方向が隣の保持板と逆方向に交互に屈曲するように設定されているので、プロテクタ本体の幅方向に圧縮力を加えると隣列された保持板は交互に反対方向にＶ字状に屈曲されるから、ひし形形状の挿通開口部が形成される。
【００１３】
前記挿通開口部は、圧縮力または圧縮変位を調節することによって大きさが変えられると共に、ワイヤハーネスを挿通後に圧縮力を除去すれば両側屈曲部および中央屈曲部の復元力によって保持板は元の平板状に戻ろうとする。従って、ワイヤハーネスの容量によって適宜な位置まで戻ってワイヤハーネスを押さえて保持するので、デッドスペースを生じることなく幅広いワイヤハーネス容量に使用することができる。よって、数多くの種類を揃える必要はなく、部品管理を簡素化することができる。
【００１４】
また、スリットの両脇のプロテクタ本体の両側端部は柔軟性があるから、ワイヤハーネスの屈折に対しても対応できる。また、両側屈曲部および中央屈曲部には復元力を持たせる必要があるので、ある程度の剛性があるからヒンジ切れは起こさない。よって、信頼性を向上することができると共に汎用性に優れ、かつコスト低減を図ることができる。
【００１５】
さらに、プロテクタ本体の端部に取付けブラケットが設けられていたり、プロテクタ本体に取り付け用のクリップが具備されていたり、保持板に接着シートが設けられていると、車体キャビンのフロアーやピラー内にワイヤハーネス用プロテクタを固定することができる。従って、プロテクタを確実に固定することができると共にワイヤハーネスの取付作業が容易となり、信頼性および作業効率を向上させることができる。
【００１６】
【発明の実施の形態】
以下、本発明のワイヤハーネス用プロテクタの実施形態を図１〜図８に基づいて詳細に説明する。図１は本発明のワイヤハーネス用プロテクタの一実施形態を示す斜視図、図２は図１における収納形状を示す斜視図、図３は図２におけるワイヤハーネスを収納した状態を示す斜視図、図４は図３におけるワイヤハーネスを保持した状態を示す斜視図、図５は図１におけるプロテクタ本体の屈折状態を示す作動説明図、図６は図１におけるプロテクタ本体に取り付けブラケットが設けられた斜視図、図７は図１におけるプロテクタ本体にクリップが具備された斜視図、図８は図１におけるプロテクタ本体の保持板に接着シートが設けられた斜視図である。
【００１７】
図１および図２に示すように、本発明のワイヤハーネス用プロテクタ１は、合成樹脂材等から成る平板状のプロテクタ本体２の長手方向に沿って適宜な間隔で、かつ幅方向に延伸された複数のスリット３と、該スリットにより形成される複数の矩形板状のハーネス用の保持板４と、該保持板の両側端部近傍と中心軸上に沿って互いに逆方向に屈曲される両側屈曲部５と中央屈曲部６とから構成されている。この複数の両屈曲部５、６の変形によりワイヤハーネスＷを挿通する挿通開口部８が形成される。
【００１８】
また、隣列された保持板４に設けられた両側屈曲部５および中央屈曲部６の屈曲方向が隣接する保持板４と逆方向に交互に屈曲するように設定されている。即ち、両側屈曲部５および中央屈曲部６を構成する凹溝５ａ、６ａは、例えば図１中左端の保持板４の凹溝５ａが図中裏側に、凹溝６ａが図中表側に設けられている。そして、その右隣に隣接する保持板４の凹溝５ａは図中表側に、凹溝６ａは図中裏側に設けられている。
【００１９】
また、プロテクタ本体２の長手方向の両側端部７、７は、後述するように屈曲可能であり、プロテクタ１の取付面の形状に沿って変形できるように構成されている。なお、上記両側屈曲部５および中央屈曲部６には復元力を持たせたいので、保持板４の肉厚に対する凹溝５ａ、６ａの深さは、屈曲方向を決める程度の浅めに設定されている。
【００２０】
上記構成のワイヤハーネス用プロテクタ１においては、図１に示したように基本形状は平板状であるが、両側端部７、７を中心方向に向かって圧縮力を加えることで、保持板４は両側屈曲部５と中央屈曲部６で屈曲される。そして、図２に示したように交互に上方向と下方向にＶ字状に変形することで、全体的にはひし形形状の挿通開口部８が形成される。
【００２１】
次に、図３に示すようにワイヤハーネスＷを挿通開口部８内に挿通させることができる。そして、両側端部７、７に加えた圧縮力を解除すると両側屈曲部５および中央屈曲部６の復元力によって保持板４は平板状に戻ろうとする。
図４に示すように、保持板４が平板状に戻ろうとすると挿通開口部８内にワイヤハーネスＷが収納されているので、保持板４はワイヤハーネスＷに上下方向から適宜な押圧力を加えながら、ワイヤハーネスＷを保持することになる。
【００２２】
また、ワイヤハーネスＷを湾曲した壁面等に沿って屈曲させたい場合は、プロテクタ本体２の両側端部７、７が屈曲可能であるため、湾曲面に沿わせるように取り付けることができる。但し、保持板４は、ひし形形状に屈曲されており、プロテクタの長手方向への変形は殆どできないので、両側端部７、７は不連続に折れ曲がるような屈曲形状となる。
【００２３】
上述したように本実施形態のワイヤハーネス用プロテクタ１においては、長手方向に沿って適宜な間隔でかつ幅方向に延伸された複数のスリット３により平板状のプロテクタ本体２に複数の矩形板状のハーネス用の保持板４が形成されるので、容易に製造できると共に保管時や運搬時に積み重ねができるから取扱性とコスト低減を図ることができる。
【００２４】
また、保持板４の両側端部近傍と中心軸上に沿って互いに逆方向に屈曲される両側屈曲部５と中央屈曲部６とが設けられ、隣列された保持板４に設けられた両側屈曲部５および中央屈曲部６の屈曲方向が隣の保持板４と逆方向に交互に屈曲するように設定されているので、プロテクタ本体２の幅方向に圧縮力を加えると隣列された保持板４は交互に反対方向にＶ字状に屈曲されるから、全体的にはひし形形状の挿通開口部８が形成される。
【００２５】
前記挿通開口部８の形状は、圧縮力を調整することによって大きさを変えることができると共に、ワイヤハーネスＷを挿通後に圧縮力を除去すれば両側屈曲部５および中央屈曲部６の復元力によって保持板４は変形前の平板状に戻ろうとする。従って、ワイヤハーネスＷの容量によって適宜な圧縮力を加えることで、必要以上に屈曲させることなく、しかも様々な容量のワイヤハーネスＷに対して確実にワイヤハーネスＷを挟持する位置まで戻る。
よって、プロテクタ本体内でワイヤハーネスＷが横ずれするようなデッドスペースを生じることなく、様々な容量のワイヤハーネスＷに対応できる汎用性に優れたワイヤハーネス用プロテクタを得ることができる。
【００２６】
また、プロテクタ本体２の両側端部７、７は、屈曲可能であるから様々な形状の取付面に対応できる。
さらに、両側屈曲部５および中央屈曲部６は、ワイヤハーネスＷを挟持するだけの復元力を持たせる必要があるので、単に一体化のためのヒンジ構造と異なりある程度の剛性があるからヒンジ切れ等は起こらない。よって、プロテクタの信頼性を向上することができると共にコスト低減を図ることができ、一層汎用性に優れたワイヤハーネス用プロテクタを得ることができる。
【００２７】
次に、上述したワイヤハーネス用プロテクタ１に取り付け具を備えた変形例について説明する。なお、上記ワイヤハーネス用プロテクタ１と同一構成の部分には同一符号を付けることにより詳細な説明を省略する。
図６に示すワイヤハーネス用プロテクタ２１は、プロテクタ本体２２に取付け孔２４を有する取付けブラケット２３が一体的に設けられている。従って、車体キャビンのフロアーやピラー内等にボルト等によりプロテクタ２１を確実に固定することができ、振動等により位置ずれしたり異音を発生するような不具合を防止できる。よって、プロテクタの信頼性を一層向上させることができる。
【００２８】
図７に示すワイヤハーネス用プロテクタ３１は、プロテクタ本体３２に取付け用のクリップ３３が一体的に設けられているか又は別体に具備されている。従って、車体キャビンのフロアー等に取付け孔を設けることで、プロテクタ３１を簡単かつ確実に固定することができると共に、上述したように振動等により位置ずれしたり異音を発生するような不具合を防止できる。よって、プロテクタの信頼性の向上と共に取付作業の一層の向上を図ることができる。
【００２９】
図８に示すワイヤハーネス用プロテクタ４１は、プロテクタ本体４２に接着シート４４を有する保持板４３が設けられている。従って、車体キャビンのフロアーやピラー内等にプロテクタ４１をワンタッチで固定することができると共に、上述したように振動等により位置ずれしたり異音を発生するような不具合を防止できる。よって、プロテクタの信頼性の向上と共に取付作業の著しい向上を図ることができる。
【００３０】
なお、本発明のワイヤハーネス用プロテクタは上述した実施形態に限定されるものではなく、適宜な変更を行うことにより他の形態でも実施することができる。例えば、本実施形態では、プロテクタの中心軸上には１本の中央屈曲部が設けられていたが、中心軸の両側に２本設けることも可能であり、ハーネス挿通時には台形形状の挿通開口部を形成することができる。
【００３１】
【発明の効果】
以上説明したように本発明のワイヤハーネス用プロテクタによれば、平板状のプロテクタ本体にはスリットにより複数の矩形板状の保持板が形成され、該保持板の両側端部近傍と中心軸上に沿って互いに逆方向に屈曲される両側屈曲部と中央屈曲部とが設けられ、隣列された保持板に設けられた両側屈曲部および中央屈曲部の屈曲方向が隣の保持板と逆方向に交互に屈曲するように設定されている。従って、プロテクタの製造が容易であると共に、プロテクタの保管時や運搬時に該プロテクタの積み重ねができるので、取扱性に優れると共にコスト低減を図ることができる。
【００３２】
また、ワイヤハーネスを挿通する挿通開口部は、圧縮力または圧縮変位を調節することによって大きさが変えられると共に、ワイヤハーネスを挿通後に圧縮力を除去すれば両側屈曲部および中央屈曲部の復元力によって保持板は元の平板状に戻ろうとして、ワイヤハーネスを挟持する。
従って、プロテクタ内でワイヤハーネスが位置ずれするようなデッドスペースを生じることなく様々なワイヤハーネス容量を確実に保持することができる。よって、数多くの種類のプロテクタを用意する必要がなく、部品管理の簡素化と汎用性に優れると共に、信頼性の高いプロテクタを得ることができる。
【００３３】
さらに、プロテクタ本体の端部に取付けブラケットが設けられていたり、プロテクタ本体に取り付け用のクリップが具備されていたり、保持板に接着シートが設けられていると、車体キャビンのフロアーやピラー内等にプロテクタを位置ずれすることなく固定することができる。従って、プロテクタを確実に固定することができると共にワイヤハーネスの取付作業が容易となり、プロテクタの信頼性および作業効率の著しい向上を図ることができる。
【図面の簡単な説明】
【図１】本発明のワイヤハーネス用プロテクタの一実施形態を示す斜視図である。
【図２】図１における収納形状を示す斜視図である。
【図３】図２におけるワイヤハーネスの収納状態を示す斜視図である。
【図４】図３におけるワイヤハーネスの保持状態を示す斜視図である。
【図５】図１におけるプロテクタ本体の屈曲状態を示す作動説明図である。
【図６】図１におけるプロテクタ本体に取り付けブラケットが設けられた変形例を示す斜視図である。
【図７】図１におけるプロテクタ本体にクリップが具備された変形例を示す斜視図である。
【図８】図１におけるプロテクタ本体の保持板に接着シートが設けられた変形例を示す斜視図である。
【図９】従来のワイヤハーネス用プロテクタの使用状態の一例を示す斜視図である。
【図１０】図９における自由状態を示す斜視図である。
【図１１】図９における作動説明図と断面図である。
【符号の説明】
１、２１、３１、４１  ワイヤハーネス用プロテクタ
２、２２、３２、４２  プロテクタ本体
３  スリット
４、４３  保持板
５  両側屈曲部
６  中央屈曲部
７  側端部
８  挿通開口部
２３  取付けブラケット
３３  クリップ
４４  接着シート
Ｗ  ワイヤハーネス
【図１】
0003943279.tif 000002
【図２】
0003943279.tif 000003
【図３】
0003943279.tif 000004
【図４】
0003943279.tif 000005
【図５】
0003943279.tif 000006
【図６】
0003943279.tif 000007
【図７】
0003943279.tif 000008
【図８】
0003943279.tif 000009
【図９】
0003943279.tif 000010
【図１０】
0003943279.tif 000011
【図１１】
0003943279.tif 000012